(57)【要約】      （修正有）【課題】簡単な構成で操作性に優れ、高い防音性及び強度を有するとともに、幅広の引戸であっても搬入時、組立時の作業性に優れた防音引戸を提供する。【解決手段】扉本体３は開閉方向の先頭部Ｐと後尾部Ｑに分割されており、お互いの連結部Ｒで結合され、扉本体３の上辺の天井面３ａには扉本体３の開閉方向の後尾部Ｑから先頭部Ｐに向かうにつれて、水平方向の厚さが減少するようにくさび状をなした一体物の第１のゴムシール３ｃが扉本体３の先頭部Ｐから後尾部Ｑの全幅に亘り取り付けられ、固定枠部には扉本体３の開位置から閉位置に向かうにつれ、第１のゴムシール３ｃと同一の傾斜角のくさび状をなす一体物の第１のシール面が配設され、扉本体３の閉位置において、第１のゴムシール３ｃと第１のシール面が当接し、くさび形状の効果により密着する。【選択図】図３
0003199073.tif 000002
【実用新案登録請求の範囲】
【請求項１】
引戸型の防音扉であって、
扉本体は、該扉本体の開閉方向の先頭部と後尾部に分割されており、
上記扉本体の、上記先頭部と上記後尾部とはお互いの連結部で結合され、
上記扉本体の上辺の天井面には、上記扉本体の開閉方向の後尾部から先頭部に向かうにつれて、水平方向の厚さが減少するようにくさび状をなした一体物の第１のゴムシールが上記扉本体の上記先頭部から上記後尾部の全幅に亘って取り付けられ、
上記第１のゴムシールに対向して上記防音扉の固定枠部には、上記扉本体の開位置から閉位置に向かうにつれて、上記第１のゴムシールとの当接面が上記扉本体の上辺に沿った側面に接近する方向に傾いて上記第１のゴムシールと同一の傾斜角のくさび状をなす一体物の第１のシール面が配設され、
上記扉本体の下辺に沿った一方の側面には、上記扉本体の開閉方向の後尾部から先頭部に向かうにつれて、水平方向の厚さが減少するようにくさび状をなす一体物の第２のゴムシールが上記扉本体の上記先頭部から上記後尾部の全幅に亘って取り付けられ、
上記第２のゴムシールに対向して上記防音扉の固定枠部には、上記扉本体の開位置から閉位置に向かうにつれて、上記第２のゴムシールとの当接面が上記扉本体の下辺に沿った側面に接近する方向に傾いて上記第２のゴムシールと同一の傾斜角のくさび状をなす一体物の第２のシール面が配設され、
上記扉本体の閉位置において、上記第１のゴムシールと上記第１のシール面が当接して密着し、上記第２のゴムシールと上記第２のシール面が当接して密着する、
ことを特徴とする扉分割型防音引戸。
【請求項２】
上記連結部は、連結時の上記扉本体の水平断面において、上記扉本体の一方の表面に連続する第１の突合せ部と、該突合せ部に連続する上記表面と平行な接触部と、該接触部にさらに連続する第２の突合せ部と、を有し、上記第２の突合せ部の全長に亘ってゴムシールを介して締結され、上記扉本体の下面には上記扉本体の全幅に亘って締結される一体物の金物を備える、ことを特徴とする請求項１記載の扉分割型防音引戸。
【考案の詳細な説明】
【技術分野】
【０００１】
本考案は、扉分割型防音引戸に関する。
【背景技術】
【０００２】
防音扉には色々な方式のものがあるが、引戸型の防音扉は片開きの横回転型の防音扉に比べると閉状態で扉本体の面と垂直方向の力を加える構成とすることが困難であり、シール機構が複雑になる傾向があった。したがって、引戸型の防音扉においては、シール機構を極力単純なものとし、かつ開閉操作を容易なものとすることが大きな課題となっていた。
さらに、防音室内外への装置等の搬入、搬出に利便性の高い大型で幅広の防音引戸の場合、扉本体の幅寸法が大きいため種々の制約があり問題となっていた。すなわち、大型の扉本体は製作工場から据え付け場所までの搬送が困難であり、さらに組立現場への搬入や組み立て作業にも困難が伴っていた。
【０００３】
第一の課題については、考案者らによる特許文献１の方式により、シール部分にくさび形状のゴムシールを用いることで、開閉のスライド運動だけで遮音機構を働かせることを可能にした、シール機構が単純で、かつ開閉操作の容易な防音引戸が提供されている。
【先行技術文献】
【特許文献】
【０００４】
【特許文献１】特許第５３３４２３２号公報
【考案の概要】
【考案が解決しようとする課題】
【０００５】
しかしながら、第二の課題である大型で幅広の防音引戸の搬送及び組立作業性の課題については特許文献１の方式でも解決されていない。一般に引戸型の防音扉では回転式の防音扉に較べて開閉に要するスペースは取らないという利点がある。その利点を生かすべく上記第二の問題点をも解決して、シール機構が単純で、かつ開閉操作も容易であり、さらに搬送、組み立てにも問題のない大型で幅広の防音引戸の提供が望まれている。これには搬送、組み立て作業を容易にする構成であって、なおかつ引戸の幅全長に亘って全閉時の防音性及び扉本体の強度を保持しうる機構を実現する必要がある。
【０００６】
本考案は上記課題を解決し、簡単な構成で操作性に優れ、高い防音性及び強度を有するとともに、大型で幅広の引戸であっても搬送時、組立時の作業性に優れた防音引戸を提供することを課題とする。
【課題を解決するための手段】
【０００７】
上記課題を解決するために、請求項１の考案は、引戸型の防音扉であって、  扉本体は開閉方向の先頭部と後尾部に分割されており、扉本体の先頭部と後尾部とはお互いの連結部で結合され、扉本体の上辺の天井面には、扉本体の開閉方向の後尾部から先頭部に向かうにつれて、水平方向の厚さが減少するようにくさび状をなした一体物の第１のゴムシールが扉本体の先頭部から後尾部の全幅に亘って取り付けられ、第１のゴムシールに対向して防音扉の固定枠部には、扉本体の開位置から閉位置に向かうにつれて、第１のゴムシールとの当接面が扉本体の上辺に沿った側面に接近する方向に傾いて第１のゴムシールと同一の傾斜角のくさび状をなす一体物の第１のシール面が配設され、扉本体の下辺に沿った一方の側面には、扉本体の開閉方向の後尾部から先頭部に向かうにつれて、水平方向の厚さが減少するようにくさび状をなす一体物の第２のゴムシールが扉本体の先頭部から後尾部の全幅に亘って取り付けられ、第２のゴムシールに対向して防音扉の固定枠部には、扉本体の開位置から閉位置に向かうにつれて、第２のゴムシールとの当接面が扉本体の下辺に沿った側面に接近する方向に傾いて第２のゴムシールと同一の傾斜角のくさび状をなす一体物の第２のシール面が配設され、扉本体の閉位置において、第１のゴムシールと第１のシール面が当接して密着し、第２のゴムシールと第２のシール面が当接して密着することを特徴とする。
請求項２の考案は、さらに、連結部は、連結時の扉本体の水平断面において、扉本体の一方の表面に連続する第１の突合せ部と、突合せ部に連続する表面と平行な接触部と、接触部にさらに連続する第２の突合せ部を有し、第２の突合せ部の全長に亘ってゴムシールを介して締結され、扉本体の下面には扉本体の全幅に亘って締結される一体物の金物を備えることを特徴とする。
【考案の効果】
【０００８】
本考案により、扉の本体の面に垂直な力を加える等の操作を不要とし、本来の開閉方向の力を加えるだけで容易に開閉が行え、高い防音性及び強度が得られるとともに、幅方向に分割された扉本体を現場で組み立て、その後、扉の全幅において一体物のシール機構を組み付ける方式とすることで、大型で幅広の引戸であっても搬送時、組立時の作業性に優れた防音引戸が提供される。
【図面の簡単な説明】
【０００９】
【図１】本考案の扉分割型防音引戸の実施形態を示す全体図であり、（ａ）は外面から見た正面図、（ｂ）は内面から見た裏面図である。
【図２】本実施形態の扉本体の組み立て要領を示す斜視図である。
【図３】本実施形態の扉本体の連結部詳細図であり、（ａ）は平面図、（ｂ）は矢視Ａ−Ａ、（ｃ）は矢視Ｂである。
【図４】本実施形態の扉本体の移動用車輪及びシール部を示す図である。
【考案を実施するための形態】
【００１０】
以下に、本考案の実施形態について図を用いて説明する。
まず、本実施形態の構成について説明する。
図１〜図４に示すように、本実施形態の扉分割型防音引戸は、引戸型の防音扉であって、扉本体３は開閉方向の先頭部Ｐと後尾部Ｑに分割されており、扉本体３の先頭部Ｐと後尾部Ｑとはお互いの連結部Ｒで結合され、扉本体３の上辺の天井面３ａには、扉本体３の開閉方向の後尾部Ｑから先頭部Ｐに向かうにつれて、水平方向の厚さＤ１が減少するようにくさび状をなした一体物の第１のゴムシール３ｃが扉本体３の先頭部Ｐから後尾部Ｑの全幅に亘って取り付けられ、第１のゴムシール３ｃに対向して防音扉１の固定枠部２には、扉本体３の開位置から閉位置に向かうにつれて、第１のゴムシール３ｃとの当接面が扉本体３の上辺に沿った側面に接近する方向に傾いて第１のゴムシール３ｃと同一の傾斜角のくさび状をなす一体物の第１のシール面２ｃが配設され、扉本体３の下辺に沿った一方の側面には、扉本体の開閉方向の後尾部から先頭部に向かうにつれて、水平方向の厚さＤ２が減少するようにくさび状をなす一体物の第２のゴムシール３ｄが扉本体３の先頭部Ｐから後尾部Ｑの全幅に亘って取り付けられ、第２のゴムシール３ｄに対向して防音扉１の固定枠部２には、扉本体３の開位置から閉位置に向かうにつれて、第２のゴムシール３ｄとの当接面が扉本体３の下辺に沿った側面に接近する方向に傾いて第２のゴムシール３ｄと同一の傾斜角のくさび状をなす一体物の第２のシール面２ｄが配設され、扉本体３の閉位置において、第１のゴムシール３ｃと第１のシール面２ｃが当接して密着し、第２のゴムシール３ｄと第２のシール面２ｄが当接してくさび形状の効果により密着する。
【００１１】
図２に示すように、扉本体３は開閉方向の先頭部Ｐと後尾部Ｑに分割されている。先頭部Ｐと後尾部Ｑはお互いの連結部Ｒで連結される。
図３に示すように、連結部Ｒは連結時の扉本体３の水平断面において、扉本体３の一方の表面に連続する第１の突合せ部Ｓと、該突合せ部に連続する上記表面と平行な接触部Ｔと、該接触部にさらに連続する第２の突合せ部Ｕを有し、第２の突合せ部Ｕの全長に亘って第３のゴムシール３ｉを介してボルト、ナット３ｊにて上下２か所で結合されている。さらに、扉本体３の下面には扉本体３の全幅に亘って締結される一体物の連結用金物３ｐ、３ｑを備えている。
【００１２】
次に、扉本体３の残されたシール部である先頭及び後尾の縦の辺のシール機構ついて説明する。
これらの部分のシール機構としては、防音扉１の閉動作時における力の方向が各シール部を密着させる方向と一致しているため、当然ながら上記のようなシール面に傾斜角を持たせる機構は必要とされない。したがって、特に図で示さないが、扉本体３の先頭及び後尾の縦の辺３ｇ、３ｈに鉛直方向にゴムシールを取り付け、固定枠部２に鉛直方向に配設されたシール面に当接させる構成としている。
【００１３】
次に、本実施形態の扉分割型防音引戸の組み立て手順について説明する。
防音扉１の取り付け場所において、まず、扉本体３の先頭部Ｐと後尾部Ｑとを連結部Ｒで結合する。具体的には図３に示すように、連結部Ｒの第２の突合せ部Ｕにおいて第３のゴムシール３ｉを介してボルト、ナット３ｊにより先頭部Ｐと後尾部Ｑとを締結し、カバー３ｋを取り付ける。
次に図２示すように、一体物となった扉本体３の天井部３ａの側面に取付け金物３ｍを介して第１のゴムシール３ｃ（図３参照）を取り付け、下辺の側面部３ｂに取付け金物３ｎを介して第２のゴムシール３ｄ（図３参照）を取り付ける。扉本体３の下部には連結用金物を３ｐ、３ｑを扉本体３の全幅に亘って取り付け、先頭部Ｐと後尾部Ｑとが連結部Ｒで折れ曲がらないように固定する。
さらに、固定枠部２（図４参照）にこれらに対向するシール面２ｃ及び２ｄ（図４参照）をそれぞれ取付け金物２ｅ及び２ｆを介して取り付ける。
次に図４示すように、一体物となった扉本体３の天井部３ａに車輪３ｅを取り付け、固定枠部２に取り付けた吊りレール３ｆと組み立てる。  
【００１４】
次に、本実施形態の扉分割型防音引戸の効果について改めて説明する。
上述のように、防音室の扉の幅を広くとることができれば機器装置の搬出入に際して非常に便利である。回転扉方式の防音扉では開閉のために大きなスペースがとられてしまうため、引戸式の防音扉で大きな扉が設置できれば理想的である。しかしながら、従来の引戸式防音扉は機構が複雑なものが一般的で開閉操作も容易ではなかった。したがって、簡易な方式で扉本体の分割、組み立てを行うことは困難であり、なおかつ防音性能及び強度を保つのはさらに困難であった。
また、くさび型のシール機構により、シール機構が単純で、かつ開閉操作も容易とした特許文献１の方式でも大型で幅広の引戸の搬送時、組み立て時の困難性は解決されなかった。具体的には現地搬入時にエレベータが使用できない、搬送経路にある扉を通過できない等の問題が生じていた。
【００１５】
これに対して本実施形態は、扉本体を幅方向に分割して現地で組み立て、その後、全幅一体物のシール機構部を扉本体に組み付け、さらに、扉本体に下面の一体金物により十分な変形強度を持たせる方式としたことで、簡単な機構で開閉操作も容易であるという、くさび型ゴムシールによるシール機構の特徴を活かしつつ、分割、組み立てを行っても高い防音性及び強度を保つことを可能として、大型で幅広の防音引戸の搬送、組み立て時の問題を解決したものである。  
【符号の説明】
【００１６】
１  防音扉
２  固定枠部
２ａ  上部側面
２ｃ、２ｄ  シール面
２ｅ、２ｆ  取付け金物
３  扉本体
３ａ  天井部
３ｂ  側面部
３ｃ  第１のゴムシール
３ｄ  第２のゴムシール
３ｅ  車輪
３ｆ  吊りレール
３ｇ  先頭側の辺
３ｈ  後尾側の辺
３ｉ  第３のゴムシール
３ｊ  ボルト、ナット
３ｋ  カバー
３ｍ、３ｎ  取付け金物
３ｐ、３ｑ  連結用金物
Ｐ  先頭部
Ｑ  後尾部  
Ｒ  連結部  
Ｓ  第１の突合せ部
Ｔ  接触部
Ｕ  第２の突合せ部
【図１】
0003199073.tif 000003
【図２】
0003199073.tif 000004
【図３】
0003199073.tif 000005
【図４】
0003199073.tif 000006